(57)【要約】      （修正有）【課題】構成が複雑でなく、美観的に優れ、ストッパ部材の戸面からの突出量が多く充分に指挟み防止機能を発揮できる引き手の提供。【解決手段】前面に開口部３１を有する箱状の取っ手本体３と、取っ手本体に内装されるストッパ部材４とからなり、ストッパ部材の頂面４２および底面４３における引戸の開き側端部に偏心軸４４が突設され、偏心軸が取っ手本体の頂壁３４と底壁３５に形成した円弧状の第１ガイド溝３６に嵌挿され、取っ手本体の頂壁と底壁にはストッパ部材の頂面と底面に形成された第２ガイド溝４５に嵌挿するガイド軸５が上下方向に突設されており、ストッパ部材における前面の開き側端部を押圧したとき、偏心軸が第１ガイド溝の閉じ側へ、ガイド軸が第２ガイド溝の閉じ側端部に移動してストッパ部材が回動することで、ストッパ部材の開き側端部が取っ手本体内に押し込まれるとともにストッパ部材の閉じ側端部が取っ手本体の開口部から突出する。【選択図】図２
2009287359.tif 000002
【特許請求の範囲】
【請求項１】
前面に開口部を有する箱状で引戸の端部に形成される凹部に埋設される取っ手本体と、前記取っ手本体に内装されるストッパ部材とからなり、前記ストッパ部材は前面が前記取っ手本体の前面開口部の開口端縁に嵌装する形状を呈するとともにその頂面および底面における前記引戸の開き側端部に偏心軸がそれぞれ上下方向の同軸位置に突設されており、これらの偏心軸が取っ手本体の互いに対向する頂壁と底壁とに形成した円弧状の第１ガイド溝にそれぞれ嵌挿されており、且つ前記取っ手本体の互いに対向する頂壁と底壁には互いに対向して配置される前記ストッパ部材の頂面と底面にそれぞれ形成された前記前面にほぼ平行に延設される第２ガイド溝にそれぞれ嵌挿するガイド軸がそれぞれ上下方向の同軸位置に突設されており、前記ストッパ部材における前面の開き側端部を押圧したとき、前記偏心軸が第１ガイド溝の閉じ側へ、前記ガイド軸が第２ガイド溝の閉じ側端部に移動してストッパ部材が回動することで、前記ストッパ部材の開き側端部が取っ手本体内に押し込まれるとともにストッパ部材の閉じ側端部が取っ手本体の開口部から突出することを特徴とする指挟み防止機能付き引き手。
【請求項２】
前記各偏心軸とガイド軸とが、前記ストッパ部材の前面を取っ手本体の開口部に沿って面一の状態に配置したときに、互いの前後方向位置がほぼ等しい位置となるように配置されているとともに、前記第１ガイド溝における引戸の開き側端部が前記第１ガイドピンに接し、且つ前記第１ガイド溝における引戸の閉じ側端部と前記突出させたストッパ部材とがガイド軸に開閉方向において互いに一致することを特徴とする請求項１記載の指挟み防止機能付き引き手。
【請求項３】
前記ストッパ部材と取っ手本体との間に、前記ストッパ部材をその前記閉じ側端部が取っ手本体から突出した状態から前面が取っ手本体の開口に合致した元の状態へ復帰させるための付勢手段が配置されていることを特徴とする請求項１または２記載の指挟み防止機能付き引き手。
【請求項４】
前記取っ手本体の内部に、前記ストッパ部材を回動させて引戸の閉じ側端部を取っ手本体から突出した状態において前記ストッパ部材の前面が前記取っ手本体の開口部と直交する位置において前記ストッパ部材の回動を阻止するための制御部材が備えられていることを特徴とする請求項１，２または３記載の指挟み防止機能付き引き手。
【発明の詳細な説明】
【技術分野】
【０００１】
本発明は、引戸等の戸面の端部に形成された凹部に埋設されて手指を掛けて引戸を開閉するために用いられる引き手に関し、特に、操作時に隣接する戸との間や戸袋との間に操作する指が挟まれることを防止する機能を有する引き手に関するものである。
【背景技術】
【０００２】
従来、引戸等の戸面には手指を掛けて引戸を開閉するための引き手が設置されており、近頃、操作時に引き手に掛けた指が隣接する戸との間や戸袋との間に挟まれることを防止する機能を有するものが知られている。
【０００３】
ところで、前記操作時に指が挟まれることを防止する手段として引き手に戸面より突出するストッパ部材（プロテクタ）を付設したものが一般的であるが、ストッパ部材は戸面よりも前方へ突出させる必要があり、常時ストッパ機能を発揮させておくものは近くを通るときに人体に当たって邪魔であったり美観的に問題があった。
【０００４】
そこで、例えば特開２００３−１９３７１１号公報、特開２００３−２３２１６５号公報、特開２００４−１５０１５３号公報等に、ストッパ部材を常時は戸面より突出させない態様で配置しておくとともに、操作時にだけストッパ部材を戸面よりも突出して指挟み防止機能を発揮させるものが提示されている。
【０００５】
ところが前記公報に提示されている操作時にだけストッパ部材を戸面よりも突出して指挟み防止機能を発揮させる機能を有する引き手は、殆どが閉じる場合にだけストッパ部材を作用させるものであって、開く場合に指を差し込むための凹部が別に必要となり、前記凹部の横にストッパ部材を配置したものである。そのため、全体として幅広となり、また全体として美観的に優れていないばかりか、取付作業が繁雑になるとともに材料費が嵩むことにもなる。
【０００６】
さらに、前記従来の引き手にあっては、前記ストッパ部材の出没機構が複雑であるとともにストッパ部材の横幅に対する戸面からの突出量の割合が低く充分な指挟み防止機能を発揮させることができない場合もある。
【特許文献１】特開２００３−１９３７１１号公報
【特許文献２】特開２００３−２３２１６５号公報
【特許文献３】特開２００４−１５０１５３号公報
【発明の開示】
【発明が解決しようとする課題】
【０００７】
本発明の課題は、引戸等に設置される引き手について上記のような問題点を解決しようとするものであり、構成が複雑でないとともに、横幅も広くなく美観的に優れているばかりかストッパ部材（プロテクタ）の横幅に対する戸面からの突出量が多く充分にストップ機能（指挟み防止機能）を発揮させることができる優れた引き手を提供することである。
【課題を解決するための手段】
【０００８】
前記課題を解決するためになされた本発明は、前面に開口部を有する箱状で引戸の端部に形成される凹部に埋設される取っ手本体と、前記取っ手本体に内装されるストッパ部材とからなり、前記ストッパ部材は前面が前記取っ手本体の前面開口部の開口端縁に嵌装する形状を呈するとともにその頂面および底面における前記引戸の開き側端部に偏心軸がそれぞれ上下方向の同軸位置に突設されており、これらの偏心軸が取っ手本体の互いに対向する頂壁と底壁とに形成した円弧状の第１ガイド溝にそれぞれ嵌挿されており、且つ前記取っ手本体の互いに対向する頂壁と底壁には互いに対向して配置される前記ストッパ部材の頂面と底面にそれぞれ形成された前記前面にほぼ平行に延設される第２ガイド溝にそれぞれ嵌挿するガイド軸がそれぞれ上下方向の同軸位置に突設されており、前記ストッパ部材における前面の開き側端部を押圧したとき、前記偏心軸が第１ガイド溝の閉じ側へ、前記ガイド軸が第２ガイド溝の閉じ側端部に移動してストッパ部材が回動することで、前記ストッパ部材の開き側端部が取っ手本体内に押し込まれるとともにストッパ部材の閉じ側端部が取っ手本体の開口部から突出することを特徴とする。
【０００９】
本発明によれば、特別に横幅を拡げることなく従来のストッパ部材を有していない取っ手と同様な横幅により形成することができるばかりか、複雑な構成を要さず、更に、ストッパ部材の幅を広げなくても戸面からの突出量も多く、優れた指挟み防止機能を発揮させることができる。
【００１０】
また、本発明において、各偏心軸とガイド軸とが、前記ストッパ部材の前面を取っ手本体の開口部に沿って面一の状態に配置したときに、互いの前後方向位置がほぼ等しい位置となるように配置されているとともに、前記第１ガイド溝における引戸の開き側端部が前記第１ガイドピンに接し、且つ前記第１ガイド溝における引戸の閉じ側端部と前記突出させたストッパ部材とをガイド軸に開閉方向において互いに一致させることにした場合には、前記ストッパ部材の前面が前記取っ手本体の開口に沿った位置において前記ストッパ部材を位置決めしておくことができるので、操作しないときに前記ストッパ部材の表面部が戸面に面一に配置されて美麗に装うことができる。
【００１１】
さらに、ストッパ部材と取っ手本体との間に、前記ストッパ部材をその前記閉じ側端部が取っ手本体から突出した状態から前面が取っ手本体の開口に合致した元の状態へ復帰させるための付勢手段が配置されている場合には、前記ストッパ部材が常にその表面を戸面と面一にした状態に保持させて外観を美麗に保つとともに、引き手を操作してストッパ部材を回動させたときに、ストッパ部材を押圧している指を離すとストッパ部材が元の状態に自動的に復帰するので手で戻す操作が不要である。
【００１２】
さらにまた、前記取っ手本体の内部に、前記ストッパ部材を回動させて引戸の閉じ側端部を取っ手本体から突出した状態において前記ストッパ部材の前面が前記取っ手本体の開口部と直交する位置において前記ストッパ部材の回動を阻止するための制御部材が備えられている場合には、ストッパ部材を押圧操作して閉じ側端部が突出状態となって、そのまま引戸を閉じる際に、前記ストッパ部材に加わる押圧力が耐押圧力に比較的耐え難い第１ガイドピンではなく、制御部材を介して引戸に伝達されるのでストッパ部材に加わる押圧力が損失なく引戸へ伝達されて引戸が確実に走行するばかりか、第１ガイドピンやガイド溝に負担がかからないのでそれらの損傷を防止して耐久性を増すことができる。
【発明の効果】
【００１３】
本発明によれば、構成が複雑でないとともに、横幅も広くなく美観的に優れているばかりかストッパ部材の横幅に対する戸面からの突出量が多く充分に指挟み防止機能を発揮させることができる。
【発明を実施するための最良の形態】
【００１４】
次に、図面を参照して本発明の実施の形態を以下に説明する。
【００１５】
図面は本発明の好ましい実施の形態を示すものであり、図１に示すように、本発明である指挟み防止機能付き引き手１は、従来の引き手と同様に、引戸２の戸面２１における端部に形成される凹部２２に埋設されて使用されるものである。
【００１６】
本実施の形態である引き手１は、図２に示した斜視分解図および図３に示した斜視図並びに図４の平面図に示すように、前記引戸２の戸面２１における端部に形成される凹部２２に埋設される取っ手本体３と、その取っ手本体３に収納されて指挟み防止機能を発揮させるストッパ部材４とから構成される。
【００１７】
そして、前記取っ手本体３は前面に開口部３１を有する縦長の中空直方体とともに開口端縁３２の周囲に引戸２の戸面２１に沿って配置されるフランジ３３を有するものであり、特に、取っ手本体３の横幅が指挟み防止機能を有していない従来の取っ手とほぼ同様に形成されている。
【００１８】
ストッパ部材４は前記取っ手本体３の前面に形成される開口部３１に嵌装する形状を呈する前面４１を有する横断面がほぼ半円弧状であり、その頂面４２および底面４３の前記引戸２に取り付けたときに開き方向端部に偏心軸４４，４４がそれぞれ上下方向に同軸上に対向して突設されているとともに前記それぞれの偏心軸４４，４４が取っ手本体３の互いに対向する頂壁３４と底壁３５とに対向して形成した円弧状の第１ガイド溝３６，３６にそれぞれ嵌挿されており、且つ取っ手本体３の互いに対向する頂壁３４と底壁３５には互いに対向して配置されるストッパ部材４の頂面４２と底面４３に形成された第２ガイド溝４５，４５にそれぞれ嵌挿するガイド軸５，５がそれぞれ突設されている。尚、本実施の形態では、ストッパ部材４の前面４１が取っ手本体３の前面に形成される開口部３１に沿って面一に配置されたときに、前記偏心軸４４とガイド軸５とが前後方向において、同一位置に、即ち、偏心軸４４とガイド軸５とを繋ぐ仮想線が前記ストッパ部材４の前面４１と平行に配置される。
【００１９】
さらに、ストッパ部材４の偏心軸４４と取っ手本体３の開き側端の側壁３７との間には、ストッパ部材４をその前記閉じ側端が取っ手本体３から突出した状態から前面４１が取っ手本体３の開口部３１に面一に合致した元の状態へ復帰させるための引っ張りコイルばねからなる付勢手段７が配置されている。
【００２０】
さらにまた、取っ手本体３の内部には、前記ストッパ部材４を回動させて引戸２の閉じ側端部を取っ手本体３から突出した状態においてストッパ部材４の前面４１が取っ手本体３の開口部３１と直交する位置においてストッパ部材４１の回動を阻止するための制御部材９が一体に備えられている。
【００２１】
尚、本実施の形態では、前記ガイド軸５，５は取っ手本体３と別体により形成されており、取っ手本体３の頂壁３４と底壁３５とに形成された取付孔３７，３７に外側から差し込み固定する構成とすることにより製造を容易にしている。
【００２２】
また、取っ手本体３およびストッパ部材４の材質については特に限定されないが、硬質の合成樹脂や金属、木材など従来から引き手に用いられる材質により形成される。さらに、本実施の形態では、ストッパ部材４を一体成型したものとしたが、図５に示すように、中空柱状の本体部４１１と板状の頂面部材４１２と底面部材４１３とにより構成して、本体部４１１の上下端面に頂面部材４１２と底面部材４１３とに固着する構成も可能であり、この場合には軽量且つ少ない材料でストッパ部材４を形成することができる。
【００２３】
以上の構成を有する本実施の形態である引き手１は、前記図１に示したように、引戸２の戸面２１に形成された凹部２２に取っ手本体３の部分が埋設されて使用されるものであり、従来と同様に嵌め込み、接着剤や釘、ネジなどにより固着される（図示せず）。
【００２４】
そして、引戸２に取り付けられた引き手１は、常時は、付勢手段７の付勢作用によりストッパ部材４の偏心軸４４が円弧状の第１ガイド溝３６の戸の開き側方向の端部に接触して、取っ手本体３の頂壁３４と底壁３５の内面に突設されたガイド軸５が第２ガイド溝４５の戸の閉じ側端部に接触してそれぞれ位置しており、ストッパ部材４は図２および図５に示すように、前面４１が取っ手本体３の開口端縁３２と殆ど隙間なく且つ面一に配置されるので、従来の引き手のように指の差し込み凹部が露出しておらず（図示せず）、外観がきわめて美麗である。
【００２５】
そして、取っ手１を用いて図１に示す引戸２を開き方向に移動させるには、まず、図６に示すように、指８の腹部８１を引戸の開き側に向けた状態でストッパ部材４の前面４１における閉じ側端部に当てて、図１に示す引戸２の戸面２１と垂直な方向（図示する矢印Ａ方向）へ前記付勢手段７の付勢力に抗して押圧すると、図７および図８に示すように、ストッパ部材４の偏心軸４４が取っ手本体３の円弧状の第１ガイド溝３６にガイドされるとともに、第２ガイド溝４５が取っ手本体３のガイド軸５にガイドされて、ストッパ部材４が所定の軌跡を有して回動してストッパ部材４に図示する矢印Ｂおよび矢印Ｃの押す圧力が加わり、ストッパ部材４は開き方向側の端部が取っ手本体３から前方に突出してくる。
【００２６】
さらに、指８によりストッパ部材４に押圧力を加えると、図９および図１０に示すようにストッパ部材４が取っ手本体３の内部に備えられた制御部材９に当接してストッパ部材４の回動が阻止される。
【００２７】
このとき、前記制御部材９は、ストッパ部材４の前面４１が取っ手本体３の開口部３１とほぼ直交する位置においてストッパ部材４の回動が阻止される位置に予め設定されていることにより、ストッパ部材４が開口部３１とほぼ直交する位置において回動が阻止される。
【００２８】
従って、次に、指８により取っ手本体３の開口部３１とほぼ直交するストッパ部材４の前面４１に図示する矢印Ｄ方向の押圧力を加えることにより取っ手本体３にその押圧力が印加されて引戸（図示せず）が開き方向に移送される。
【００２９】
このとき、ストッパ部材４は前面４１の横幅の半分近くが取っ手本体３から突出されるので充分なプロテクト効果、即ち、掛けた指を隣接する引戸や戸との間に挟み込むことを防止する効果を発揮させることができ、また、取っ手本体３には残りのストッパ部材４は前面４１の横幅の半分近くの指掛け用の凹部３８が形成されるので確実に指を掛けることができる。
【００３０】
そして、引戸２を開いた状態で指８を凹部３８から取り除くと、ストッパ部材４は付勢手段７により前記と逆の方向へ回動して図１，２および６に示した元の位置に自動的に復帰する。
【００３１】
さらに、本実施の形態において引戸２を閉じる方向へ移送させるには、
図１１に示すように指８を腹部８１を引戸の閉じ側に向けて差し込み、指８の背部８２によりストッパ部材４を前記開ける場合と同様に回動させて、指８を腹部８１により取っ手本体３の側壁３７へ押圧力を加えればよい。
【００３２】
この場合にも、引戸の開放後に指８を離せば、ストッパ部材４は付勢手段７により元の位置に復帰する。
【００３３】
尚、本実施の形態では、前記ストッパ部材４を横断面がほぼ半円弧状としたことにより比較的奥行き方向に幅を持たせることにより指８で押圧したときに充分に耐える強度を発揮できるばかりか、回動に支障もなく、更に、引戸の操作に伴って回動、突設したときも外観が美麗で触っても怪我をする心配がないなどの利点を有しているが、ストッパ部材４は少なくとも前面４１が前記取っ手本体３の前面に形成される開口部３１に嵌装する形状を呈するとともに頂面４２および底面４３に偏心軸４４，４４がそれぞれ上下方向に同軸上に対向して突設されてものであればよく、他の形状を呈するものであってもよい。
【図面の簡単な説明】
【００３４】
【図１】本発明における実施の形態についての引戸に設置する状態を示す説明図であり、（ａ）は取付前の状態、（ｂ）は取付後の状態を示す。
【図２】本発明における実施の形態についての斜視分解図。
【図３】本発明における実施の形態についての斜視図。
【図４】本発明における実施の形態についての平面図。
【図５】本発明におけるストッパ部材の異なる実施の形態を示す横断面説明図。
【図６】本発明における実施の形態についての使用状態を示す横断面説明図。
【図７】本発明における実施の形態についての使用状態を示す横断面説明図。
【図８】本発明における実施の形態についての使用状態を示す横断面説明図。
【図９】本発明における実施の形態についての使用状態を示す横断面説明図。
【図１０】本発明における実施の形態についての異なる状態を示す斜視図。
【図１１】本発明における実施の形態についての異なる使用状態を示す横断面説明図。
【符号の説明】
【００３５】
１  引き手、２  引戸、３  引き手本体、４  ストッパ部材、５  ガイド軸、７  付勢手段、９  制御部材、２１  戸面、２２  凹部、３１  開口部、３２  開口端縁、３４  頂壁、３５  底壁、３６  第１ガイド溝、４１  前面、４２  頂面、４３  底面、４４  偏心軸、４５  第２ガイド溝
【図１】
2009287359.tif 000003
【図２】
2009287359.tif 000004
【図３】
2009287359.tif 000005
【図４】
2009287359.tif 000006
【図５】
2009287359.tif 000007
【図６】
2009287359.tif 000008
【図７】
2009287359.tif 000009
【図８】
2009287359.tif 000010
【図９】
2009287359.tif 000011
【図１０】
2009287359.tif 000012
【図１１】
2009287359.tif 000013